(57)【特許請求の範囲】
【請求項１】
容器本体と、この容器本体の後端部にヒンジ連結される蓋体とを備えたコンパクト容器であって、上記蓋体の下面に、環状の鏡枠が嵌入される凹部が形成されているとともに、上記凹部の内周面に、蓋体下面から真上に延び途中で周方向に曲がって延びる鉤形状の溝が、同じ向きで複数個所に形成され、上記凹部に嵌入される鏡枠の外周面に、上記蓋体凹部に形成された溝に対峙する配置で、上記溝と係合する複数の突片が設けられ、上記鏡枠と蓋体凹部底面との間に鏡を挟んだ状態で、上記鏡枠の突片が上記蓋体凹部の溝の周方向に延びる部分と係合することにより、上記鏡が蓋体に着脱自在に保持されていることを特徴とするコンパクト容器。
【発明の詳細な説明】
【０００１】
【発明の属する技術分野】
この発明は、容器の蓋体から鏡を取り外すことのできるコンパクト容器に関するものである。
【０００２】
【従来の技術】
ファンデーション等の化粧料を収容して携帯するコンパクト容器としては、従来から、図４に示すようなタイプのものが汎用されている。このコンパクト容器は、上面に化粧皿（図示せず）を収容する凹部３０ａが形成された合成樹脂製の容器本体３０の後端部に、同じく容器樹脂製の蓋体３１がヒンジ連結されて構成されている。そして、上記蓋体３１の下面には、化粧する際に顔を映すための鏡３２が取り付けられている。なお、蓋体３１の前端下面には、係合用突出片３３が下向きに形成されており、この突出片３３が、容器本体３０の前端部の係合部３４と係合することにより、蓋体３１を閉じることができるようになっている。また、容器本体３０の前端部には切欠部３６が設けられており、この部分に、前後にわずかに回動する操作片３５が取り付けられている。この操作片３５を内側に押し込むことにより、上記突出片３３と係合部３４との係合が外れ、蓋体３１が開くようになっている。
【０００３】
このようなコンパクト容器では、通常、鏡３２は、上記の例のように蓋体３１の下面にそのまま、あるいは下面に浅い凹部を形成してその凹部内に、接着剤等で一体的に固定されている。これは、コンパクト容器を携帯する際に、振動や落下等の外力が加わっても、鏡３２が外れて破損することがないよう考慮したものである。
【０００４】
【発明が解決しようとする課題】
しかしながら、近年、年々増加する廃棄物の処理が社会問題化しており、ごみ排出量の抑制と資源リサイクル促進の必要性が高まっている。このため、ごみの種類によって、分別収集を義務づける自治体も増えている。また、製造業者にも、容器や包装物等のリサイクルが義務づけられる傾向になってきている。このような社会状況にあって、上記従来のコンパクト容器は、鏡３２が蓋体３１に接着剤等で一体的に固定されているため、使用しなくなったコンパクト容器を廃棄する際、ガラス廃棄物である鏡３２と、合成樹脂廃棄物である容器本体３０および蓋体３１とを分離することができず、ごみの分別収集に供することができないという問題がある。また、鏡３２が蓋体３１に接着されたままで廃棄されると、その鏡３２が割れて破片が散乱し、危険が生じるという問題もある。
【０００５】
この発明は、このような事情に鑑みなされたもので、コンパクト容器から鏡のみを取り外すことができ、ガラス廃棄物と合成樹脂廃棄物とに分けて廃棄することのできるコンパクト容器の提供をその目的とする。
【０００６】
【課題を解決するための手段】
上記の目的を達成するため、この発明のコンパクト容器は、容器本体と、この容器本体の後端部にヒンジ連結される蓋体とを備えたコンパクト容器であって、上記蓋体の下面に、環状の鏡枠が嵌入される凹部が形成されているとともに、上記凹部の内周面に、蓋体下面から真上に延び途中で周方向に曲がって延びる鉤形状の溝が、同じ向きで複数個所に形成され、上記凹部に嵌入される鏡枠の外周面に、上記蓋体凹部に形成された溝に対峙する配置で、上記溝と係合する複数の突片が設けられ、上記鏡枠と蓋体凹部底面との間に鏡を挟んだ状態で、上記鏡枠の突片が上記蓋体凹部の溝の周方向に延びる部分と係合することにより、上記鏡が蓋体に着脱自在に保持されているという構成をとる。
【０００７】
【発明の実施の形態】
つぎに、この発明の実施の形態について説明する。
【０００８】
図１は、この発明の一実施の形態を示したものである。このコンパクト容器は、鏡３２の取り付け構造に特徴を有するもので、それ以外の構造は、図４に示す従来のコンパクト容器と同一であり、同一部分に同一符号を付している。
【０００９】
このコンパクト容器の鏡３２は、環状の鏡枠１を介して、蓋体３１の下面に形成された凹部２内に、着脱自在に保持されるようになっている。より詳しく説明すると、上記蓋体３１の凹部２の内周面には、図２に示すように、蓋体３１の下面から真上に延び途中で周方向に曲がって延びる鉤形状の溝３が、同じ向きで３個所（等配）に形成されている。一方、鏡枠１の外周面１ａには、上記凹部２に設けられた３個の溝３にそれぞれ対峙する配置で、上記溝３と係合するよう３個の突片４が設けられている（図では手前の１個しか見えない）。なお、図２において、蓋体３１の下面周縁部に形成された立ち上がり部は省略している。
【００１０】
そこで、この凹部２内に、まず鏡３２を嵌入し、ついで鏡枠１を、上記３個の突片４を凹部２の各溝３に係合させた状態で、凹部２内に嵌入する。このとき、鏡枠１の突片４は、溝３の上下方向に延びた部分（以下「縦溝部」という）３ａに沿って移動する。そして、突片４が上記縦溝部３ａの奥端に当接した時点で、鏡枠１を、図１において矢印Ｘで示すように、溝３が延びる周方向（図２参照）に回動させることにより、突片４を、溝３の周方向に延びた部分（以下「横溝部」という）３ｂに入り込ませてこの部分と係合させる。このようにして、鏡３２を、鏡枠１と蓋体３１の凹部２の底面との間で挟持することができる。この状態を、図１のＡ−Ｏ−Ａ′断面図である図３に示す。なお、上記鏡枠１を、矢印Ｘと逆方向に回動させ、手前に引き出すことにより、簡単に鏡枠１および鏡３２を、凹部２から取り外すことができる。
【００１１】
このように、このコンパクト容器は、鏡３２を、従来のように接着剤等を用いて蓋体３１に貼着して一体的に固定するのではなく、鏡枠１と蓋体３１との簡単な係合によって保持しているにすぎないため、容易に外すことができる。しかも、容易に外すことができるにもかかわらず、鏡３２が鏡枠１を介して蓋体３１の凹部２内に保持された状態では、鏡枠１に対し周方向の回転力が加わらない限り、鏡枠１は外れないため、コンパクト容器携帯時に鏡３２が脱落するようなことはない。
【００１２】
したがって、このコンパクト容器を廃棄する場合には、蓋体３１を開き、すでに述べたように、鏡枠１を矢印Ｘ（図１参照）と逆方向に回動させ、手前に引き出して鏡枠１および鏡３２を凹部２から取り外すようにする。これにより、合成樹脂製の容器本体３０，蓋体３１と、鏡枠１と、ガラス製の鏡３２とに分けることができるのであり、それぞれを、ごみの分別収集に供することができる。そして、鏡３２は、他のガラス廃棄物とともに慎重に回収されるため、破損等の危険を招くことがない。
【００１３】
なお、上記鏡枠１（突片４も含む）が、容器本体３０および蓋体３１と同一の合成樹脂で形成されている場合には、その廃棄時に、再び蓋体３１の凹部２内に鏡枠１を嵌入し係合した状態にしておくと、両者をばらばらにしておくよりも空間的無駄が生じず、好ましい。もちろん、鏡枠１の材質が容器本体３０等と異なる場合であって分別できるものである場合には、それぞれを分けて廃棄する。
【００１４】
また、上記の例において、鏡枠１の外周面に設ける突片４の大きさは、鏡枠１によって挟持しようとする鏡３２の大きさに左右されるが、例えば鏡３２が、直径５０ｍｍ、厚み１．５ｍｍの円形鏡である場合、上記突片４は、通常、直径１．０〜２．０ｍｍ、突出長１．５〜２．０ｍｍの円柱状に設定される。上記突片４は、鏡枠１と一体的に成形してもよいし、環状に成形された鏡枠１の外周面に後から接着等により固着するようにしてもよい。
【００１５】
さらに、蓋体３１の凹部２の内周面に設けられる溝３は、上記突片４と係合できる幅および深さに設定されなければならない。そして、突片４と溝３との係合がゆるすぎて鏡枠１ががたついたり外れやすくなったりしないよう、ある程度両者がしっくり係合するよう調整されなければならない。
【００１６】
また、溝３において、縦溝部３ａおよび横溝部３ｂの長さは、凹部２の深さ，鏡３２の大きさ等に応じて適宜に設定されるが、凹部２の深さが３ｍｍで、鏡３２の大きさが前記と同一である場合、通常、縦溝部３ａの長さは１．５〜２．５ｍｍ、横溝部３ｂの長さは１．５〜２．５ｍｍに設定される。
【００１７】
さらに、上記の例では、突片４および溝３による係合が、３個形成されるようになっているが、この数は３個に限らず、複数であれば何個であっても差し支えはない。
【００１８】
なお、鏡枠１の着脱を行うに際し、環状の鏡枠１を回動させる操作がしにくい場合には、例えば図１において鎖線で示すように、鏡枠１の内周面の一部に小さな突起１１を形成しておき、この部分に手指をかけて操作を行うことが好ましい。
【００１９】
なお、この発明のコンパクト容器は、図１のタイプのものに限らず、容器本体３０と蓋体３１とがヒンジ連結により開閉するものであれば、どのような構成のものであっても差し支えはない。
【００２０】
【発明の効果】
以上のように、この発明のコンパクト容器は、鏡が、鏡枠と蓋体との簡単な係合によって保持されているにすぎないため、容易に外すことができる。しかも、容易に外すことができるにもかかわらず、鏡枠が周方向に回動しない限り外れないため、コンパクト容器携帯時に衝撃を受けても鏡が脱落するようなことはない。したがって、このコンパクト容器は、使用時には一体であっても、廃棄時には、簡単に、ガラス製の鏡と合成樹脂製の他の部分とに分けることができ、それぞれを、ごみの分別収集に供することができるという利点を有する。そして、分別された鏡は、他のガラス廃棄物とともに慎重に回収されるため、破損等の危険を招くことがない。
【図面の簡単な説明】
【図１】この発明の一実施例を示す斜視図である。
【図２】上記実施例の要部の分解斜視図である。
【図３】図１のＡ−Ｏ−Ａ′断面図である。
【図４】従来のコンパクト容器の一例を示す斜視図である。
【符号の説明】
１  鏡枠
２  凹部
３  溝
４  突片
３１  蓋体
３２  鏡
【図１】
0003792792.tif 000002
【図２】
0003792792.tif 000003
【図３】
0003792792.tif 000004
【図４】
0003792792.tif 000005